(57)【要約】【課題】  ペットの排泄物を分解処理できるペット用トイレであって、製造コストを低く抑制でき、装置全体の重量も小さく、さらに、モータなどを駆動させる電源も必要としないため設置できる場所も限られないなど、複数の点で汎用性が高く、一般家庭でも使用し易いペット用トイレを提供する。【解決手段】  排泄用の開口部６Ａを備えたペット支持体６と、ペット支持体６の下方に配置された分解処理槽８と、排泄物Ｑを分解処理槽８に収容された分解処理材４０と撹拌混合するための撹拌手段１０と、撹拌手段１０を駆動させる駆動機構とを備え、駆動機構は、ペットＰの動作を撹拌手段の駆動力に変換する動力変換手段１４を含むペット用トイレとした。【選択図】図３
2019050780.tif 000002
【特許請求の範囲】
【請求項１】
ペットの排泄物を分解処理できるペット用トイレであって、
排泄用の開口部を備えたペット支持体と、
前記ペット支持体の下方に配置された分解処理槽と、
排泄物を前記分解処理槽に収容された分解処理材と撹拌混合するための撹拌手段と、
前記撹拌手段を駆動させる駆動機構と、を備え、
前記駆動機構は、ペットの動作を前記撹拌手段の駆動力に変換する動力変換手段を含むことを特徴とするペット用トイレ。
【請求項２】
前記撹拌手段が、前記分解処理槽にて回転可能に支持された撹拌羽根で構成され、
前記動力変換手段が、前記撹拌羽根の回転軸の一端に連結され、且つ、前記分解処理槽の外部に回転可能に支持された被操作体を含み、
前記被操作体の外周に、ペットの四肢先端または爪の動きを受け止めるための摩擦面が形成されていることを特徴とする請求項１に記載のペット用トイレ。
【請求項３】
前記撹拌羽根が、螺旋状のスクリュー羽根であることを特徴とする請求項２に記載のペット用トイレ。
【請求項４】
前記螺旋状のスクリュー羽根が、一枚の平板から切り出された渦巻き状部材の内端と外端とを、前記回転軸の両端近傍にそれぞれ固定することで立体化された円錐台状のスクリュー羽根であることを特徴とする請求項３に記載のペット用トイレ。
【請求項５】
前記回転軸の方向は略水平に配置されており、
前記分解処理槽が、前記円錐台状のスクリュー羽根の母線に沿って傾斜した底面を備えていることを特徴とする請求項４に記載のペット用トイレ。
【請求項６】
前記底面における前記円錐体状のスクリュー羽根の小径側端部付近に、前記分解処理槽の内容物を排出するための排出口と、前記排出口を開閉するカバーが設けられていることを特徴とする請求項５に記載のペット用トイレ。
【請求項７】
前記駆動機構が、前記撹拌羽根の前記回転軸と前記被操作体との間に介装された減速ギヤ部を含むことを特徴とする請求項２から６のいずれか一項に記載のペット用トイレ。
【請求項８】
前記回転軸の他端に、前記撹拌羽根を手動で回転駆動するための手動用ハンドルが設けられていることを特徴とする請求項２から７のいずれか一項に記載のペット用トイレ。
【発明の詳細な説明】
【技術分野】
【０００１】
本発明は、ペットの排泄物を分解処理できるペット用トイレに関する。
【背景技術】
【０００２】
従来、この種のペット用トイレに関連する先行技術文献情報として下記に示す特許文献１がある。この特許文献１に記されたペット用トイレは、上部が開放された容器を備え、容器の内部には撹拌軸と撹拌翼を有するオーガが配置され、さらに、容器の底部にはペットの排泄物を分解処理するペレット状処理材が収納された構成を有する。
【０００３】
さらに、ネコなどのペットが容器の上方で糞尿を排泄すると、ペレット状処理材の上に落下した排泄物の存在をセンサが感知し、容器外に配置された第１モータによってオーガが回転操作されることで、排泄物がペレット状処理材と混合され、排泄物の分解処理が進められるという趣旨の説明が記載されている。
【０００４】
容器の上方には、排泄物の分解処理中に容器を密閉しておくための蛇腹状の蓋体が開閉自在に設けられており、容器外には蓋体を開閉操作するための第２モータが備えられている。また、蓋体の下面には複数のレーキが設けられており、蓋体の開閉操作を数回繰り返すことによって、レーキが排泄物中の固形有機物を容器内の粉砕開始地点まで落下させ、同時にペレット状処理材の表層部を整地する役割を果たすことが記載されている。
【先行技術文献】
【特許文献】
【０００５】
【特許文献１】特開２００５−１２４５４４号公報（００２２〜００２７段落、図１、４）
【発明の概要】
【発明が解決しようとする課題】
【０００６】
しかし、特許文献１に記されたペット用トイレでは、容器の上方を開閉するための蛇腹状の蓋体、自在オーガを回転駆動させるため第１モータ、蓋体を開閉操作するための第２モータ、第２モータの動作や安全システムを制御するためのマイクロプロセッサなど、構成物が多いので、必然的に製造コストが高くなり、装置全体の重量も大きくなるため、一般家庭での使用が難しいという問題があった。
【０００７】
また、特許文献１に記されたペット用トイレでは、モータやマイクロプロセッサを駆動させるための電源が必要となるため、ペット用トイレを設置できる場所が限られるという不便さもあった。
【０００８】
そこで、本発明は、上記従来の問題に鑑みてなされたものであり、その目的は、製造コストを低く抑えることができ、装置全体の重量も小さく、さらに、電源を特に必要としないため設置できる場所も限られないなど、複数の点で汎用性が高く、一般家庭でも使用し易いペット用トイレを提供することにある。
【課題を解決するための手段】
【０００９】
請求項１の発明は、ペットの排泄物を分解処理できるペット用トイレであって、排泄用の開口部を備えたペット支持体と、前記ペット支持体の下方に配置された分解処理槽と、排泄物を前記分解処理槽に収容された分解処理材と撹拌混合するための撹拌手段と、前記撹拌手段を駆動させる駆動機構と、を備え、前記駆動機構は、ペットの動作を前記撹拌手段の駆動力に変換する動力変換手段を含むことを特徴とするペット用トイレである。
【００１０】
請求項２の発明は、請求項１に記載のペット用トイレにおいて、前記撹拌手段が、前記分解処理槽にて回転可能に支持された撹拌羽根で構成され、前記動力変換手段が、前記撹拌羽根の回転軸の一端に連結され、且つ、前記分解処理槽の外部に回転可能に支持された被操作体を含み、前記被操作体の外周に、ペットの四肢先端または爪の動きを受け止めるための摩擦面が形成されていることを特徴とする。
【００１１】
請求項３の発明は、請求項２に記載のペット用トイレにおいて、前記撹拌羽根が、螺旋状のスクリュー羽根であることを特徴とする。
【００１２】
請求項４の発明は、請求項３に記載のペット用トイレにおいて、前記螺旋状のスクリュー羽根が、一枚の平板から切り出された渦巻き状部材の内端と外端とを、前記回転軸の両端近傍にそれぞれ固定することで立体化された円錐台状のスクリュー羽根であることを特徴とする。
【００１３】
請求項５の発明は、請求項４に記載のペット用トイレにおいて、前記回転軸の方向は略水平に配置されており、前記分解処理槽が、前記円錐台状のスクリュー羽根の母線に沿って傾斜した底面を備えていることを特徴とする。
【００１４】
請求項６の発明は、請求項５に記載のペット用トイレにおいて、前記底面における前記円錐台状のスクリュー羽根の小径側端部付近に、前記分解処理槽の内容物を排出するための排出口と、前記排出口を開閉するカバーが設けられていることを特徴とする。
【００１５】
請求項７の発明は、請求項２から６のいずれか一項に記載のペット用トイレにおいて、前記駆動機構が、前記撹拌羽根の前記回転軸と前記被操作体との間に介装された減速ギヤ部を含むことを特徴とする。
【００１６】
請求項８の発明は、請求項２から７のいずれか一項に記載のペット用トイレにおいて、前記回転軸の他端に、前記撹拌羽根を手動で回転駆動するための手動用ハンドルが設けられていることを特徴とする。
【発明の効果】
【００１７】
本発明によれば、ペットの排泄物を分解処理できるペット用トイレであって、排泄用の開口部を備えたペット支持体と、前記ペット支持体の下方に配置された分解処理槽と、排泄物を前記分解処理槽に収容された分解処理材と撹拌混合するための撹拌手段と、前記撹拌手段を駆動させる駆動機構とを備え、前記駆動機構は、ペットの動作を前記撹拌手段の駆動力に変換する動力変換手段を含む構成であるから、ペットの動作によって撹拌手段が駆動されることで、従来の構成に備えられていた、モータやマイクロプロセッサなどが全て不要となるため、製造コストが抑えられ、装置全体の重量も小さく、さらに、モータなどを駆動させる電源も必要としないため設置できる場所も限られないなど、様々な意味で汎用性が高く、一般家庭でも使用し易いペット用トイレが得られた。
【００１８】
特に、前記撹拌手段が、前記分解処理槽にて回転可能に支持された撹拌羽根で構成され、前記動力変換手段が、前記撹拌羽根の回転軸の一端に連結され、且つ、前記分解処理槽の外部に回転可能に支持された被操作体を含み、前記被操作体の外周に、ペットの四肢先端または爪の動きを受け止めるための摩擦面が形成されている構成とすれば、ペットが爪研ぎをしようとして、被操作体の外周付近に爪を当てる動作をしたり、四肢先端で被操作体の外周付近とじゃれる動作をしたりするため、これらの動作によって被操作体と共に撹拌羽根が回転することになる。さらに、被操作体の外周には摩擦面が形成されているので、ペットの動作が被操作体及び撹拌羽根の回転に変換され易くなる。
【００１９】
また、前記撹拌羽根が、螺旋状のスクリュー羽根である構成とすれば、互いに独立した複数の羽根が径方向に並んだ非スクリュー羽根に比べて、分解処理槽のペレット状などの分解処理材に埋まった状態での回転抵抗が小さく、比較的弱い力でも回転駆動され易いため、ペットの動作を被操作体及び撹拌羽根の回転に変換し易いという利点が得られる。
【００２０】
さらに、前記螺旋状のスクリュー羽根が、一枚の平板から切り出された渦巻き状部材の内端と外端とを、前記回転軸の両端近傍にそれぞれ固定することで立体化された円錐台状スクリュー羽根である構成とすれば、回転軸に沿って複数のスクリュー羽根が隣接配置された円筒状スクリュー羽根に比べて、複数のスクリュー羽根どうしを接合すると言った高い熟練度や特殊な治具を要しないため、螺旋状のスクリュー羽根の製作コストが低く抑えられるという利点が得られる。
【００２１】
また、前記回転軸の方向は略水平に配置されており、前記分解処理槽が、前記円錐台状スクリュー羽根の母線に沿って傾斜した底面を備えている構成とすれば、分解処理槽のうちの最も低い底面付近には大きな容積が得られるので、その容積に見合った多量の分解処理材を収容可能となり、分解処理能力の高いペット用トイレが得られる。
【００２２】
また、前記底面における前記円錐台状スクリュー羽根の小径側端部付近に、前記分解処理槽の内容物を排出するための排出口と、前記排出口を開閉するカバーが設けられている構成とすれば、分解処理がある程度以上進んだ際などに、例えば管理者がカバーを開け、被操作体などを介して、分解処理槽の内容物が円錐台状スクリュー羽根の小径側に寄るような回転方向で円錐台状スクリュー羽根を回転操作すれば、分解処理槽内で生産された発酵土（排泄物が分解されて生じた物質及び分解処理材など）が、排出口から排出される。しかも、排泄物のうちの液体状部分は重力の作用で必然的に最も低い底面の箇所、すなわち、小径側に形成された排出口とは離間した箇所に集まるので、排泄物のうちの液体状部分が不用意に排出口とカバーの隙間などから漏れ出る虞が少ない。
【００２３】
また、前記駆動機構が、前記撹拌羽根の前記回転軸と前記被操作体との間に介装された減速ギヤ部を含む構成とすれば、ペットの爪または四肢先端から被操作体の外周に与えられる回転トルクが弱い場合でも、回転軸を介して被操作体及び撹拌羽根が回転させられ易いので、排泄物の分解作用を進行させることができる。
【００２４】
また、前記回転軸の他端に、前記撹拌羽根を手動で回転駆動するための手動用ハンドルが設けられている特徴とする構成とすれば、ペットの動作に基づく撹拌羽根の回転と排泄物の分解が不十分と思われる際に人力で撹拌羽根を回転させたり、撹拌羽根を人力で所定方向に回転させることで分解処理材及び分解された排泄物とを開口部から排出させたりする操作を、管理者が手動用ハンドルを介して効率的に行うことができる。
【図面の簡単な説明】
【００２５】
【図１】本発明の実施形態に係るペット用トイレの外観を示す斜視説明図である。
【図２】本発明の実施形態に係るペット用トイレの内部を示す斜視説明図である。
【図３】本発明の実施形態に係るペット用トイレの使用方法を示す破断側面説明図である。
【図４】本発明の実施形態に係るペット用トイレの使用方法を示す別の破断側面説明図である。
【図５】本発明の実施形態に係るペット用トイレのペット支持体を取り外した状態を示す平面図である。
【図６】本発明の実施形態に係るペット用トイレの撹拌羽根を製作する手順を示す説明図である。
【発明を実施するための形態】
【００２６】
以下、本発明の好適な実施形態について図１〜図５を用いて説明する。
図１に示すように、本実施形態に係るペット用トイレ５０は、ペットＰの排泄物Ｑを分解処理する機能を有するものであり、概して立方体状または直方体状の外箱部２を備えている。
外箱部２は、図１及び図３に示す様に、ほぼ垂直な軸心を有し、断面が正方形または矩形の筒状体４を備え、筒状体４の上端と下端は概して開放されている。
【００２７】
図１〜図４に示す様に、筒状体４の上端には、矩形板状のペット支持体６が着脱可能に嵌合されており、このペット支持体６の中央には楕円形などの排泄用開口部６Ａが形成されている。外箱部２及びペット支持体６を構成する材料は特に限定されないが、例えば杉板を圧縮した圧縮材などで製作するとよい。筒状体４の下端の四隅などには、ゴム製などの脚部５が取り付けられている。また、筒状体４の左右の側面の一部には、ペット用トイレ５０を持ち運ぶ際に用いるための窪んだハンドル部４Ｈが形成されている。
【００２８】
図２に示すように、ペット支持体６の下方には、平面視で台形状の分解処理槽８が配置されている。図３及び図４に示す様に、分解処理槽８の上端には外側横向きに突出したフランジ部８Ｆが形成されており、分解処理槽８は、このフランジ部８Ｆを介して、外箱部２の筒状体４の上端の一部から内側横向きに突出したフランジ部４Ｆの上に支持されている。
【００２９】
更に、図２〜図５に示す様に、分解処理槽８の内部には、撹拌手段としての螺旋状のスクリュー羽根１０（撹拌手段及び撹拌羽根の一例）が回転可能に配置されている。
スクリュー羽根１０は、図２〜図４に示す様に、分解処理槽８の互いに対向する前後一対の側壁８Ａ，８Ｂに略水平向きに枢支された、直線状の回転軸１２に取り付けられている。
【００３０】
図２〜図４に示すように、分解処理槽８の前側の側壁８Ａの外側に、円板状の被操作体１４（動力変換手段の一例）が、回転軸１２に略平行な軸１３で枢支されている。なお、被操作体１４の外周面や前面には、ペットの爪または四肢先端の動きを受け止めるための摩擦面１４Ａが形成されている。摩擦面１４Ａは、例えば、杉板、段ボール紙、ジーンズ布などを被操作体１４の表面に貼り付けることで形成するとよい。
【００３１】
そして、この被操作体１４の軸１３と前述の回転軸１２の一端１２Ａとは、被操作体１４の回転速度を減速して回転軸１２に伝える第１減速ギヤ部１８Ａを介して連結されている。
被操作体１４と第１減速ギヤ部１８Ａとは、撹拌手段すなわち螺旋状のスクリュー羽根１０を駆動させる駆動機構を構成しており、被操作体１４は、ペットの動作をスクリュー羽根１０の駆動力に変換する動力変換手段として機能する。
【００３２】
また、図１，図２及び図５に示す様に、分解処理槽８の後側の側壁８Ｂの外側には、スクリュー羽根１０を手動で回転駆動するためのクランク状の手動用ハンドル２０が設けられている。図２〜図４に示す様に、手動用ハンドル２０と回転軸１２の他端１２Ｂとは、手動用ハンドル２０の回転速度を減速して回転軸１２に伝える第２減速ギヤ部２２Ａを介して連結されている。
【００３３】
螺旋状のスクリュー羽根１０は、図６（ａ）に示すように、一枚の平板７０から渦巻き状部材を切り出し、図６（ｂ）及び図２に示すように、その渦巻き状部材の内端１０Ａと外端１０Ｂとを、回転軸１２の両端近傍にそれぞれ固定することで立体化されているため、全体として略円錐台状の外形を備えている。
分解処理槽８、スクリュー羽根１０及び回転軸１２を構成する材料は特に限定されないが、耐久性などを考慮して、例えば、ＳＵＳ３０４などのステンレス鋼を素材にして製作するとよい。
【００３４】
なお、より詳細には、スクリュー羽根１０に強度を与える目的で、図６（ｃ）に示すように、立体化された渦巻き状部材の二箇所をＬ字状などの補強用ステー１０Ｃによって連結し、補強用ステー１０Ｃに形成した貫通孔に回転軸１２の一端１２Ａを通し、さらに、渦巻き状部材の外端１０Ｂ付近は折り曲げて補強用アーム部１０Ｄとなし、その先端部１０Ｅをスクリュー羽根１０の別の箇所に溶接などで接合すると良い。
【００３５】
なお、図２〜図４に示すように、回転軸１２の方向は略水平に配置されており、分解処理槽８は、円錐台状のスクリュー羽根１０の母線に沿った、略半円錐台状の底面８Ｃを備えている。その結果、底面８Ｃは前方に向って次第に低くなる傾斜を有する。
【００３６】
また、分解処理槽８の底面８Ｃにおける、円錐台状のスクリュー羽根１０の小径側端部付近には、分解処理槽８の内容物を排出するための排出口８Ｄと、排出口８Ｄを外側から閉鎖する排出口カバー３０が形成されている。
【００３７】
図２及び図５に示すように、排出口カバー３０は、分解処理槽８の右側の側壁８Ｒの外表面にヒンジ３０Ａを介してフラップ状に搖動可能に支持されており、右側の側壁８Ｒ付近から後向きに延びた操作レバー３０Ｂを用いて、手動で開放姿勢と閉鎖姿勢の間で切り換え可能とされている。
【００３８】
図２及び図５に示すように、操作レバー３０Ｂの基端部は、分解処理槽８の右側の側壁８Ｒの一部から水平に延びた軸部材３０Ｃの先端付近に、回動自在に支持されている。
操作レバー３０Ｂの先端側の一部と、排出口カバー３０の中央部付近とは、両端にボールジョイントを備えた直線状の連接棒３０Ｅによって連結されている。
【００３９】
したがって、図１に示すように、筒状体４の一部に形成されたスリット４Ｓから突出した操作レバー３０Ｂの先端を上下に操作することで、排出口カバー３０を開閉操作できる。
なお、排出口カバー３０は、排出口カバー３０の中央付近と分解処理槽８の一部とを連結するコイルばね３０Ｆによって、開放姿勢（図１に示す操作レバー３０Ｂの「開」位置と対応）と閉鎖姿勢（図１に示す操作レバー３０Ｂの「閉」位置と対応）のいずれかに付勢されている。なお、図５ではコイルばね３０Ｆは省略されている。
【００４０】
排出口８Ｄの下方には、図２〜図４に示す様に、被処理物収納トレイ４５が引出し可能に配置されているため、排出口カバー３０が開放された状態で、排出口８Ｄから排出された発酵土（排泄物Ｑが分解されて生じた物質と分解処理材４０など）は、被処理物収納トレイ４５の中に収納される。被処理物収納トレイ４５は樹脂の射出成型などで製作するとよい。
【００４１】
また、分解処理材４０による排泄物Ｑの分解処理では、発酵に伴う５０℃前後の発熱によって水蒸気が発生するが、この水蒸気は発酵を阻害する。したがって、図２に示すように、分解処理槽８の上方の一部に排気孔８Ｅを形成し、この排気孔８Ｅと換気扇（図示せず）などとを排気ダクト６０などで連結することで、水蒸気及び臭いを分解処理槽８から強制排気することが推奨される。
【００４２】
ここで、ペット用トイレ５０の具体的な使用方法の一例を示す。
管理者が準備作業として行うことは、ペット用トイレ５０をネコなどのペットＰが居住する空間に置き、排出口８Ｄが排出口カバー３０によって閉鎖されていることを確認し、外箱部２の上端から矩形板状のペット支持体６を取り外して、分解処理槽８の中に適当量の分解処理材４０を投入し、ペット支持体６を外箱部２の上端に戻すことだけである。
【００４３】
分解処理材４０としては、市販のものを用いてもよいが、枯葉、樹皮、おが屑、米ぬか、もみ殻などで代用してもよい。分解処理材４０には、排泄物Ｑを発酵させて分解するバクテリア類が含まれている。
【００４４】
分解処理材４０は、一般にペレット状または粉粒状を呈し、或る程度の流動性を備えるため、図３に示すように、自然に分解処理槽８の底面８Ｃに落ち着く。
なお、ペット支持体６を外箱部２の上端に取り付けたまま、ペット支持体６の排泄用開口部６Ａから分解処理材４０を投入してもよい。
【００４５】
図３に示すように、ペットＰは、ペット用トイレ５０の存在に慣れると、ペット支持体６の上に乗って排泄することが期待できる。排泄物Ｑは、排泄用開口部６Ａを介して、分解処理槽８内の分解処理材４０の上に落下する。
【００４６】
排泄物のうちの液体状部分（図示せず）は、重力の作用で最も低い底面８Ｃの箇所に集まるので、分解処理槽８の小径側に形成された排出口８Ｄと排出口カバー３０の隙間から液体状部分が漏れ出る虞が少ない。
【００４７】
排泄を終えたペットＰは、ペット支持体６から床上などに降り、図４に示す様に、被操作体１４の摩擦面１４Ａに爪を当てる爪研ぎ動作、または、四肢先端で被操作体１４の外周付近とじゃれる動作を行うことが期待できる。これらの動作によって被操作体１４と共にスクリュー羽根１０が回転するため、排泄物が分解処理材４０と共に撹拌、混合され、排泄物の分解が進行する。
【００４８】
被操作体１４の回転は、第１減速ギヤ部１８Ａを介してスクリュー羽根１０に伝えられるので、一般に、ペットの動作が弱くてもスクリュー羽根１０を回転させるのには充分である。
また、被操作体１４を介してのスクリュー羽根１０の回転方向は、正逆のいずれでも排泄物の分解は進行する。
【００４９】
分解処理槽８内の状況から、排泄物の分解が進んだと思われたら、管理者は操作レバー３０Ｂを操作して排出口カバー３０を開放姿勢に切り換えることで、排出口８Ｄを開放し、手動用ハンドル２０を後方から見て反時計方向に回転させると、発酵土（排泄物Ｑが分解されて生じた物質と分解処理材４０など）が、スクリュー羽根１０によって排出口８Ｄから排出され、被処理物収納トレイ４５の中に回収される。
【００５０】
回収された発酵土（図示せず）は、園芸用の肥料などとして利用できる。
なお、ペットＰの動作による被操作体１４の回転が不十分と思われる場合は、管理者が手動用ハンドル２０を適宜回転させることで、排泄物の分解を支援してもよい。
また、分解処理槽８の内部で、排泄用開口部６Ａの下方には、ペットＰが排泄用開口部６Ａから落下するのを防止する手段として、２本の落下防止バー７が前後方向に平行に張り渡されている。
【００５１】
また、管理者は、必要に応じて、被操作体１４及び手動用ハンドル２０を抜き取った上で、フランジ部４Ｆを外せば、分解処理槽８を外箱部２から上方向きに取り出し、点検、清掃することができる。なお、被処理物収納トレイ４５は、抜き取った手動用ハンドル２０を一時的に収納するための容器として使用することができる。
【００５２】
なお、周辺温度が低過ぎると、分解処理材４０に含まれるバクテリア類の活動が弱まるため、ペット用トイレ５０は、できるだけ昼夜を通して暖かな環境に配置することが推奨される。
【００５３】
ところで、従来のペット用トイレとしては、容器内にネコ砂などを拡げておく方法も知られているが、ネコ砂を頻繁に交換する必要がある、周囲に飛散したネコ砂の処理が面倒である等の問題があった。本発明によるペット用トイレ５０は、このようなネコ砂を用いる必要がない点等でも、非常に有利である。
【００５４】
以上、本発明の好適な実施形態について図面に基づいて詳細に説明したが、これはあくまでも例示であり、当業者の知識に基づいて種々の変形、改良を施した他の形態で本発明を実施することが可能である。
【産業上の利用可能性】
【００５５】
本発明は、ペットの排泄物を分解処理できるペット用トイレに従来見られた課題を解決するための技術として利用可能な発明である。
【符号の説明】
【００５６】
Ｐ  ペット
Ｑ  排泄物
６  ペット支持体
６Ａ  排泄用開口部
８  分解処理槽
８Ｃ  底面
８Ｄ  排出口
１０  スクリュー羽根（撹拌手段、撹拌羽根）
１０Ａ  内端
１０Ｂ  外端
１２  回転軸
１２Ａ  回転軸の一端
１２Ｂ  回転軸の他端
１４  被操作体（動力変換手段、駆動機構）
１４Ａ  摩擦面
１８Ａ  第１減速ギヤ部（減速ギヤ部、駆動機構）
２０  手動用ハンドル
３０  排出口カバー（カバー）
４０  分解処理材
４５  被処理物収納トレイ
５０  ペット用トイレ
【図１】
2019050780.tif 000003
【図２】
2019050780.tif 000004
【図３】
2019050780.tif 000005
【図４】
2019050780.tif 000006
【図５】
2019050780.tif 000007
【図６】
2019050780.tif 000008
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ペットの排泄物を分解処理できるペット用トイレであって、
排泄用の開口部を備えたペット支持体と、
前記ペット支持体の下方に配置された分解処理槽と、
排泄物を前記分解処理槽に収容された分解処理材と撹拌混合するための撹拌手段と、
前記撹拌手段を駆動させる駆動機構と、を備え、
前記駆動機構は、ペットの動作を前記撹拌手段の駆動力に変換する動力変換手段を含み、前記撹拌手段が、前記分解処理槽にて回転可能に支持された撹拌羽根で構成され、
前記動力変換手段が、前記撹拌羽根の回転軸の一端に連結され、且つ、前記分解処理槽の外部に回転可能に支持された被操作体を含み、
前記被操作体の外周に、ペットの四肢先端または爪の動きを受け止めるための摩擦面が形成されていることを特徴とするペット用トイレ。
【請求項２】
前記撹拌羽根が、螺旋状のスクリュー羽根であることを特徴とする請求項１に記載のペット用トイレ。
【請求項３】
前記螺旋状のスクリュー羽根が、一枚の平板から切り出された渦巻き状部材の内端と外端とを、前記回転軸の両端近傍にそれぞれ固定することで立体化された円錐台状のスクリュー羽根であることを特徴とする請求項２に記載のペット用トイレ。
【請求項４】
前記回転軸の方向は略水平に配置されており、
前記分解処理槽が、前記円錐台状のスクリュー羽根の母線に沿って傾斜した底面を備えていることを特徴とする請求項３に記載のペット用トイレ。
【請求項５】
前記底面における前記円錐台状のスクリュー羽根の小径側端部付近に、前記分解処理槽の内容物を排出するための排出口と、前記排出口を開閉するカバーが設けられていることを特徴とする請求項４に記載のペット用トイレ。
【請求項６】
前記駆動機構が、前記撹拌羽根の前記回転軸と前記被操作体との間に介装された減速ギヤ部を含むことを特徴とする請求項１から５のいずれか一項に記載のペット用トイレ。
【請求項７】
前記回転軸の他端に、前記撹拌羽根を手動で回転駆動するための手動用ハンドルが設けられていることを特徴とする請求項１から６のいずれか一項に記載のペット用トイレ。
【手続補正２】
【補正対象書類名】明細書
【補正対象項目名】０００９
【補正方法】変更
【補正の内容】
【０００９】
請求項１の発明は、ペットの排泄物を分解処理できるペット用トイレであって、排泄用の開口部を備えたペット支持体と、前記ペット支持体の下方に配置された分解処理槽と、
排泄物を前記分解処理槽に収容された分解処理材と撹拌混合するための撹拌手段と、前記撹拌手段を駆動させる駆動機構と、を備え、前記駆動機構は、ペットの動作を前記撹拌手段の駆動力に変換する動力変換手段を含み、前記撹拌手段が、前記分解処理槽にて回転可能に支持された撹拌羽根で構成され、前記動力変換手段が、前記撹拌羽根の回転軸の一端に連結され、且つ、前記分解処理槽の外部に回転可能に支持された被操作体を含み、前記被操作体の外周に、ペットの四肢先端または爪の動きを受け止めるための摩擦面が形成されていることを特徴とするペット用トイレである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２の発明は、請求項１に記載のペット用トイレにおいて、前記撹拌羽根が、螺旋状のスクリュー羽根であることを特徴とする。
【手続補正５】
【補正対象書類名】明細書
【補正対象項目名】００１２
【補正方法】変更
【補正の内容】
【００１２】
請求項３の発明は、請求項２に記載のペット用トイレにおいて、前記螺旋状のスクリュー羽根が、一枚の平板から切り出された渦巻き状部材の内端と外端とを、前記回転軸の両端近傍にそれぞれ固定することで立体化された円錐台状のスクリュー羽根であることを特徴とする。
【手続補正６】
【補正対象書類名】明細書
【補正対象項目名】００１３
【補正方法】変更
【補正の内容】
【００１３】
請求項４の発明は、請求項３に記載のペット用トイレにおいて、前記回転軸の方向は略水平に配置されており、前記分解処理槽が、前記円錐台状のスクリュー羽根の母線に沿って傾斜した底面を備えていることを特徴とする。
【手続補正７】
【補正対象書類名】明細書
【補正対象項目名】００１４
【補正方法】変更
【補正の内容】
【００１４】
請求項５の発明は、請求項４に記載のペット用トイレにおいて、前記底面における前記円錐台状のスクリュー羽根の小径側端部付近に、前記分解処理槽の内容物を排出するための排出口と、前記排出口を開閉するカバーが設けられていることを特徴とする。
【手続補正８】
【補正対象書類名】明細書
【補正対象項目名】００１５
【補正方法】変更
【補正の内容】
【００１５】
請求項６の発明は、請求項１から５のいずれか一項に記載のペット用トイレにおいて、前記駆動機構が、前記撹拌羽根の前記回転軸と前記被操作体との間に介装された減速ギヤ部を含むことを特徴とする。
【手続補正９】
【補正対象書類名】明細書
【補正対象項目名】００１６
【補正方法】変更
【補正の内容】
【００１６】
請求項７の発明は、請求項１から６のいずれか一項に記載のペット用トイレにおいて、前記回転軸の他端に、前記撹拌羽根を手動で回転駆動するための手動用ハンドルが設けられていることを特徴とする。